(57)【要約】  １つの実施例において、作業表面と、脚部アセンブリと、作業表面を脚部アセンブリに対し調整可能に連結して作業表面の垂直方向調整を可能にするリンケージアセンブリと、を含み得る高さ調整可能なデスクトップシステムが記載されている。リンケージアセンブリは、一対の調整アセンブリを含むことができ、各調整アセンブリは、作業表面が上昇または低下させられるときに作業表面を水平配向に維持する横断方向リンケージを有する。引張りバネまたはねじりバネなどの付勢メカニズムが、作業表面を上昇位置に向かって付勢する。
2017511246.tif 000002
【特許請求の範囲】
【請求項１】
高さ調整可能なデスクトップシステムであって、
作業平面であって、下面を画定し、当該作業表面の前記下面に位置付けされたグライド支持体および支持ブラケットを含む、作業表面と；
少なくとも１つの脚部ブラケットを含む脚部アセンブリと；
調整アセンブリであって、
前記グライド支持体上を摺動できるグライダと；
前記グライダに対して回転可能に連結されかつ前記脚部ブラケットに対して回転可能に連結されている第１のリンケージであって、第１の平面内を回転可能である、第１のリンケージと；
前記第１のリンケージと共に回転可能である第２のリンケージであって、前記グライダに対して回転可能に連結されかつ前記脚部ブラケットに対して回転可能に連結されており、前記第１の平面に対し平行で前記第１の平面からオフセットされている第２の平面内を回転可能である、第２のリンケージと；
前記支持ブラケットに対して回転可能に連結されかつ前記第２のリンケージに対して回転可能に連結されている横断方向リンケージと；
を含む、調整アセンブリと；
を備え、
前記グライダが、前記支持ブラケットに対し近位の第１の位置と、前記支持ブラケットに対し遠位の第２の位置と、の間で前記グライド支持体上を摺動でき；前記グライドが前記第１の位置にあるときに、前記第１、第２および横断方向リンケージが伸展させられて、前記作業表面を上昇位置に位置付けし、前記グライドが前記第２の位置にあるときに、前記第１、第２および横断方向リンケージが折畳まれて、前記作業表面を低下位置に位置付けする、高さ調整可能なデスクトップシステム。
【請求項２】
前記作業表面が、前記下面の反対側にある１次上部表面を画定する、請求項１に記載の高さ調整可能なデスクトップシステム。
【請求項３】
前記作業表面が、前記１次上部表面よりも低い位置にある２次上部表面を画定する棚を含む、請求項２に記載の高さ調整可能なデスクトップシステム。
【請求項４】
前記棚が、前記１次上部表面の下に前記２次上部表面を位置付けするための取付けブラケットを含む、請求項３に記載の高さ調整可能なデスクトップシステム。
【請求項５】
前記脚部アセンブリが脚部部分を含む、請求項１に記載の高さ調整可能なデスクトップシステム。
【請求項６】
前記脚部部分が、デスクトップと相互作用するための平担な要素を含む、請求項５に記載の高さ調整可能なデスクトップシステム。
【請求項７】
前記脚部部分が、壁にしっかりと固定できる壁ブラケットを含む、請求項５に記載の高さ調整可能なデスクトップシステム。
【請求項８】
前記脚部部分が、前記脚部アセンブリを安定化するための１対のアームを有するＵ字形要素を含む、請求項５に記載の高さ調整可能なデスクトップシステム。
【請求項９】
前記調整アセンブリが、前記グライダに対し動作可能に連結された引張りバネを含む、請求項１に記載の高さ調整可能なデスクトップシステム。
【請求項１０】
前記引張りバネが、前記グライダを前記横断方向リンケージに動作可能に連結している、請求項９に記載の高さ調整可能なデスクトップシステム。
【請求項１１】
前記引張りバネが、前記作業表面の前記下面に取付けられたバネ保持用ブラケットに前記グライダを動作可能に連結している、請求項９に記載の高さ調整可能なデスクトップシステム。
【請求項１２】
前記調整アセンブリが、前記作業表面を上昇位置に向かって付勢するために、前記作業表面が低下させられるにつれて前記作業表面の前記下面と前記横断方向リンケージとの間で張力をかけられるねじりバネを含む、請求項１に記載の高さ調整可能なデスクトップシステム。
【請求項１３】
前記グライド支持体が、複数の刻み目を画定するグライドロッドを含む、請求項１に記載の高さ調整可能なデスクトップシステム。
【請求項１４】
前記グライダが、第１のグライド孔および前記第１のグライド孔と整列された第２のグライド孔を画定し、前記グライドロッドは、前記グライダが前記グライドロッド上を摺動できるように、前記第１および第２のグライド孔の中に収容可能である、請求項１３に記載の高さ調整可能なデスクトップシステム。
【請求項１５】
前記第２のグライド孔が平らな縁部を画定し、
前記グライドロッドが、前記刻み目が前記平らな縁部と係合するように整列されて前記グライドロッド上での前記グライダの摺動を防止する第１の位置と、前記刻み目が前記平らな縁部と整列されず前記グライドロッド上での前記グライダの摺動を可能にする第２の位置と、の間で回転可能である、
請求項１４に記載の高さ調整可能なデスクトップシステム。
【請求項１６】
前記グライドロッドが、前記グライドロッドを回転させるために動作可能なレバーを含む、請求項１５に記載の高さ調整可能なデスクトップシステム。
【請求項１７】
前記横断方向リンケージが、扇形部分を含み、円弧状に構成された前記扇形部分の中に複数の孔を画定する、請求項１に記載の高さ調整可能なデスクトップシステム。
【請求項１８】
当該高さ調整可能なデスクトップシステムが、ピストンピンを有するピストンを含み、
前記ピストンピンは、前記ピンが孔の１つと交差して前記横断方向リンケージの回転を防ぎ前記作業表面の上昇を留める伸展位置と、前記横断方向リンケージの回転を可能にして前記作業表面が移動できるようにする収縮位置と、の間で移動可能である、請求項１７に記載の高さ調整可能なデスクトップシステム。
【請求項１９】
作業表面と、
脚部アセンブリと、
前記作業表面に対して回転可能に連結されかつ前記脚部アセンブリに対して回転可能に連結されているリンケージアセンブリであって、低下位置と、全体的に前記作業表面に対して垂直な上昇位置と、の間で前記作業表面を回転させるように構成されているリンケージアセンブリと、
を備える、高さ調整可能なデスクトップシステム。
【発明の詳細な説明】
【技術分野】
【０００１】
［優先権主張］
本特許出願は、２０１４年４月１４日出願の米国特許出願第６１／９７９，２６５号（代理人整理番号第５９８３，１２４ＰＲＶ号）および２０１４年９月２３日出願の米国特許出願第６２／０５３，８８０号（代理人整理番号第５９８３，２６３ＰＲＶ号）に対する優先権を主張するものであり、これらの出願の各々の優先権の利益が本明細書により請求され、各出願の全体が参照により本明細書に援用される。
【０００２】
本明細書は、概して、ただし非限定的に、高さ調整可能な作業表面を提供するためのデスクトップアセンブリに関する。
【背景技術】
【０００３】
従来のデスクは、１つの作業表面を提供し、コンピュータモニター、コンピュータ周辺機器または他のデスクトップアイテムを支えるための平担なデスクトップを含む。典型的には、このデスクトップは、デスクトップアイテムを支え保持するための平らな表面を提供するために水平な位置で組付けられている。同様にして、デスクトップは、座っている人が快適にデスクを使用できる位置に対応する高さに位置付けされる。近年、デスクユーザーは、多くの場合ユーザーがデスクトップ上に覆いかぶさるようにかがみ込む結果となるデスクの長時間着座使用、特にコンピュータの使用の結果としてもたらされる腰椎捻挫その他の損傷を防ぐために、デスクを立位姿勢で使用することを探求してきた。詳細には、近年の情報は、長時間デスクを使用する間立位姿勢と着座姿勢との間を交番させることに健康上の有益なメリットがあることを示している。
【０００４】
コンピュータを使用するためのデスクの立位での使用を提供するための１つのアプローチは、デスクの作業表面に対して組付け可能である垂直方向のライザを含むコンピュータマウントにある。コンピュータモニターおよび／またはキーボードのための固定型または高さ調整可能なマウントを、立位のために、または、コンピュータの着座使用と立位使用との間での交番のために、適切な高さで垂直ライザに対してしっかりと固定することが可能である。このアプローチの欠点は、転倒を回避するためにモニターが典型的に作業表面に固定されるという点にある。エッジクランプ、グロメットマウントまたは他の挟持器具を用いて、ライザを作業表面に固定することが可能である。挟持器具の欠点は、孔を開けたりデスクトップの縁部区分を除去したりして既存のデスクトップを修正しなければならない場合があるという点にある。デスクの実質的なおよび永久的な修正は、実質的な投資を必要とし、デスクトップをその当初の意図された使用または他の使用に好適でないものにする可能性がある。
【発明の概要】
【０００５】
本発明者らは、なかでも、解決すべき課題には、コンピュータおよび他の使用のために充分なサイズを有する安定した高さ調整可能な作業表面を提供することが含まれるということを認識した。さらに、本発明者らは、解決すべき関連する課題としては、高さ調整可能な作業表面を組込むことによって、固定した高さのデスクを座位−立位デスクへと転換することが含まれるということも認識した。一実施例において、本願主題は、固定高さのデスクを転換するため、固定高さのデスクの上にセットまたは位置設定され得る高さ調整可能な作業表面を提供することなどにより、この問題に対する解決法を提供することができる。一実施例においては、高さ調整可能な作業表面は、脚部アセンブリと、作業表面を脚部アセンブリに調整可能に連結して脚部アセンブリに対する作業表面の垂直方向調整を可能にするリンケージアセンブリと、を有することができる。少なくとも１つの実施例において、脚部アセンブリは、固定高さのデスクの上に安定した高さ調整可能な作業表面を提供するために固定高さのデスクの作業表面上に設置されるかまたはこの作業表面に対して解除可能に組付けられ得る。
【０００６】
一実施例において、リンケージアセンブリは、１つ以上の調整アセンブリを含むことができ、調整アセンブリの各々が、少なくとも２つの平行なリンケージと、作業表面が上昇または低下させられるにつれて概して水平の配向に作業表面を維持する横断方向リンケージと、を有する。平行なリンケージの一方は、第１の平面内で回転できる一方、第２の回転リンケージは、第１の平面に対して平行でかつ第１の平面からオフセットされている第２の平面内で回転できる。平面のオフセットは、脚部アセンブリに対して作業表面が印加するトルクを削減できる。少なくとも１つの実施例において、各調整アセンブリは、作業表面を上昇および低下させるためにグライド支持体を移動させ作業表面を全体的に水平な配向に維持するようにも作動できるグライド用上部バーを含むことができる。少なくとも１つの実施例において、各調整アセンブリは、作業表面を上昇位置に向かって付勢する引張りバネまたはねじりバネなどの付勢メカニズムを含むことができる。少なくとも１つの実施例において、各調整アセンブリは、作業表面を上昇および低下させるためにグライド支持体を移動させ作業表面を全体的に水平な配向に維持するようにも作動できるグライド用上部バーを含むことができる。この構成では、グライドロッドは、複数の刻み目を含むことができ、複数の刻み目は、切込みがグライダと係合して作業表面の調整を妨げる第１の位置と、作業表面の低下および上昇を可能にする第２の位置と、の間で回転可能である。
【０００７】
少なくとも１つの実施例において、各調整アセンブリは、横断方向リンケージ内の複数の孔のうちの１つと係合して調整アセンブリを固定し作業表面の上昇または低下を防止するプランジャピンを含むロックレバーアセンブリを含むことができる。
【０００８】
一実施例において、高さ調節可能なデスクトップは、この高さ調節可能なデスクトップをデスクトップ、テーブル、デスクフレーム、壁または他の構造にしっかりと固定するための留め金、グロメット、万力、クリップまたは代替的タイプの締結具などの少なくとも１つの挟持用部材を含むことができる。ベース脚部アセンブリまたは高さ調節可能なデスクトップアセンブリの他の部分をデスクトップにしっかり固定することにより、タイピングなどでの使用中の作業表面の安定性を改善することができる。少なくとも１つの実施例において、各挟持用部材を脚部アセンブリまたはベースの前方に位置設定することができ、別の例では、１つ以上の挟持用部材を後方に位置設定することができる。別の実施例においては、グロメットマットを使用してベースをデスクトップに取付けることができる。グロメットマウントは、高さ調整可能なデスクアセンブリを、下にある支持用表面に対して回転させることができるようにし得る。
【０００９】
一実施例において、高さ調整可能なデスクトップシステムは、作業表面、脚部アセンブリおよび調整アセンブリを含むことができる。作業表面は下面を画定し、作業表面の下面に位置付けされたグライド支持体と支持ブラケットとを含むことができる。脚部アセンブリは、少なくとも１つの脚部ブラケットを含むことができる。調整アセンブリは、グライド支持体上を摺動できるグライダと、グライダに対して回転可能に連結されかつ脚部ブラケットに対して回転可能に連結されている第１のリンケージと、第１のリンケージと共に回転可能であり、グライダに対して回転可能に連結されかつ脚部ブラケットに対して回転可能に連結されている第２のリンケージと、支持ブラケットに対して回転可能に連結されかつ第２のリンケージに対して回転可能に連結されている横断方向リンケージとを含み得る。グライダは、支持ブラケットに対し近位の第１の位置と、支持ブラケットに対し遠位の第２の位置との間でグライド支持体上を摺動され得；ここで、グライドが第１の位置にある場合に、第１、第２および横断方向リンケージは伸長させられて、作業表面を上昇位置に位置付けすることができ、グライドが第２の位置に位置付けされた場合に、第１、第２および横断方向リンケージは折畳まれて、作業表面を低下位置に位置付けることができる。
【００１０】
一実施例において、グライド支持体は、複数の刻み目を画定するグライドロッドを含むことができる。この構成において、グライダは、第１のグライド孔およびこの第１のグライド孔と整列された第２のグライド孔を画定し、グライドロッドは、グライダがグライドロッド上を摺動できるように第１および第２のグライド孔の中に収容可能であり得る。第２のグライド孔は平らな縁部を画定することができる。グライドロッドは、グライドロッド上でのグライダの摺動を防止することができるように刻み目が整列されて平らな縁部と係合される第１の位置と、グライドロッド上でのグライダの摺動を可能にするように刻み目が平らな縁部と整列されない第２の位置と、の間で回転可能である。
【００１１】
一実施例において、横断方向リンケージは扇形部分を含み、円弧状に構成された扇形部分の中に複数の孔を画定する。高さ調整可能なデスクトップシステムは、ピストンピンを有するピストンを含むことができる。このピストンピンは、このピンが孔の１つと交差して横断方向リンケージの回転を防ぎ作業表面の上昇を留める伸展位置と、横断方向リンケージの回転を可能にして作業表面が移動できるようにする収縮位置と、の間で移動可能である。
【００１２】
この概要は、本特許出願の主題の概要を提供するように意図されている。これは、本主題の排他的または網羅的説明を提供するようには意図されていない。詳細な説明は、本特許出願についてのさらなる情報を提供するために内含されている。
【００１３】
必ずしも原寸に比例して描画されていない図面中、同じ番号は、異なる図における類似の構成要素を描写し得る。異なる添え字を有する同じ番号は、類似の構成要素の異なる事例を表わし得る。図面は概して、本明細書中で論述されているさまざまな実施例を、限定的なものとしてではなく一例として示している。
【図面の簡単な説明】
【００１４】
【図１】本開示の一実施例に係る、上昇位置にある作業表面を有する高さ調整可能なデスクトップシステムの概略的側面図である。
【図２】本開示の一実施例に係る、中間低下位置に位置付けされた作業表面を有する図１に描かれた高さ調整可能なデスクトップシステムの概略的側面図である。
【図３】本開示の一実施例に係る、低下位置に位置付けされた棚を含む作業表面を有する図１に描かれた高さ調整可能なデスクトップシステムの概略的側面図である。
【図４】本開示の一実施例に係る、図１に描かれた高さ調整可能なデスクトップシステムの前面図である。
【図５】本開示の一実施例に係る、上昇位置にある作業表面を有する高さ調整可能なデスクトップシステムの概略的前面図である。
【図６】本開示の一実施例に係る、上昇位置にある作業表面を有する高さ調整可能なデスクトップシステムの概略的前面図である。
【図７】本開示の一実施例に係る、低下位置に位置付けされた棚を含む作業表面を有する高さ調整可能なデスクトップシステムの概略的側面図である。
【図８】本開示の一実施例に係る、低下位置に位置付けされた棚を含む作業表面を有する高さ調整可能なデスクトップシステムの概略的側面図である。
【図９】本開示の一実施例に係る、挟持用部材を有する高さ調整可能なデスクトップシステムの概略的側面図である。
【図１０】本開示の一実施例に係る、挟持用部材を有する高さ調整可能なデスクトップシステムの概略的側面図である。
【図１２】引張りバネが横断方向リンケージに対してグライダを動作可能にリンクしている、本開示の一実施例に係る上昇位置にある作業表面を有する高さ調整可能なデスクトップシステムの概略的側面図である。
【図１３】引張りバネが作業表面に取付けられたバネ保持用ブラケットに対してグライダを動作可能にリンクしている、本開示の一実施例に係る上昇位置にある作業表面を有する高さ調整可能なデスクトップシステムの概略的側面図である。
【図１４】本開示の一実施例に係る、中間低下位置に位置付けされた作業表面を有する図７に描かれた高さ調整可能なデスクトップシステムの概略的側面図である。
【図１５】ねじりバネが、作業表面を上昇位置に付勢するように位置付けされている、本開示の一実施例に係る上昇位置にある作業表面を有する高さ調整可能なデスクトップシステムの概略的側面図である。
【図１６】本開示の一実施例に係る、中間低下位置に位置付けされた作業表面を有する図１５に描かれた高さ調整可能なデスクトップシステムの概略的側面図である。
【図１７】本開示の一実施例に係る、上昇位置にある作業表面を有し、システムを壁に組付けるための壁ブラケットを有する高さ調整可能なデスクトップシステムの概略的側面図である。
【図１８】本開示の一実施例に係る、上昇位置にある作業表面を有する高さ調整可能なデスクトップシステムの斜視図である。
【図１９】図１８に描かれた作業表面を有する高さ調整可能なデスクトップシステムの側面図である。
【図２０】図１８に描かれた作業表面を有する高さ調整可能なデスクトップシステムの前面図である。
【図２１】本開示の一実施例に係る、中間低下位置に位置付けされた作業表面を有する図１８に描かれた高さ調整可能なデスクトップシステムの側面図である。
【図２２】本開示の一実施例に係る、中間低下位置に位置付けされたた作業表面を有する図１８に描かれた高さ調整可能なデスクトップシステムの側面図である。
【図２３】本開示の一実施例に係る、グライドロッド用のレバーを例示する高さ調整可能なデスクトップシステムの部分前面図である。
【図２４】本開示の一実施例に係る、高さ調整可能なデスクトップシステムの部分斜視図である。
【図２５】本開示の一実施例に係る、グライドロッド、支持フレームおよびグライダセンブリの斜視図である。
【図２６】本開示の一実施例に係る、グライダの斜視図である。
【図２７】本開示の一実施例に係る、グライドロッドの斜視図である。
【図２８】本開示の一実施例に係る、グライドロッドのレバーの上面図である。
【図２９】本開示の一実施例に係る、グライドロッドの部分横断図面である。
【図３０】本開示の一実施例に係る、上昇位置にある作業表面を有する高さ調整可能なデスクトップシステムの斜視図である。
【図３１】本開示の図３０に描かれている作業表面を有する高さ調整可能なデスクトップシステムの側面図である。
【図３２】本開示の一実施例に係る、中間低下位置に位置付けされた作業表面を有する図３０に描かれた高さ調整可能なデスクトップシステムの側面図である。
【図３３】本開示の図２４に描かれた作業表面を有する高さ調整可能なデスクトップシステムの前面図である。
【図３４】本開示の一実施例に係るロックレバーアセンブリの部分斜視図である。
【図３５】本開示の一実施例に係るロックレバーアセンブリの部分横断側面図である。
【図３６】本開示の一実施例に係る、作業表面が上昇位置に位置付けされたた状態にある、下部ロックアセンブリを有する高さ調整可能なデスクトップシステムの斜視図である。
【図３７】本開示の一実施例に係る、作業表面が低下しロックされた位置に位置付けされた状態にある、下部ロックアセンブリを有する高さ調整可能なデスクトップシステムの斜視図である。
【図３８】本開示の一実施例に係るロッキングアームを有するレバーの斜視図である。
【図３９】本開示の一実施例に係る、低下位置にロックされた高さ調整可能なデスクトップシステムの部分斜視図である。
【図４０】本開示の一実施例に係る、低下位置にロックされた高さ調整可能なデスクトップシステムの横断斜視図である。
【発明を実施するための形態】
【００１５】
図１〜図３に描かれている通り、本開示の一実施例に係る高さ調整可能なデスクトップシステム１００は、作業表面１０２、リンケージアセンブリ１０４および脚部アセンブリ１０６を含むことができる。作業表面１０２は、コンピュータ周辺機器などのデスクトップアイテムを支えるかまたは執筆のための平担な表面を提供する。脚部アセンブリ１０６は、デスクのデスクトップ９９上に設置されるか、デスクのフレームにしっかりと固定されるか、または壁もしくは他の構造にしっかりと固定されるように構成されている。リンケージアセンブリ１０４は、作業表面１０２を脚部アセンブリ１０６に対し動作可能に連結している。リンケージアセンブリ１０４は、作業表面１０２を垂直方向に高さ調整し、座位、立位または他の位置にありながら作業表面１０２を使用できるように作業表面１０２を位置付けするように構成されている。図２に例示されている通り、一実施例において、リンケージアセンブリ１０４は、脚部アセンブリ１０６に対して作業表面１０２を図１に描かれている通り上昇させるかまたは図３に描かれている通り低下させることができる。
【００１６】
図１〜図６に描かれている通り、作業表面１０２は、１次上部表面１０８と下面１１０とを画定できる。上部表面１０８は、執筆のためまたはデスクトップアイテムを支えるための平らな表面を提供するように平担であり得る。一実施例において、１次上部表面１０８は、作業表面１０２がリンケージアセンブリ１０４により上昇または低下させられている間、１次上部表面１０８上をデスクトップアイテムが滑動するのを妨げるための高い摩擦表面を含むことができる。図４に描かれている通り、少なくとも１つの実施例において、作業表面１０２は、１本の軸に沿って作業表面１０２の下面１１０に配置された少なくとも１つのグライド支持体１１２および支持ブラケット１１４を含むことができる。この構成では、第１の調整アセンブリ１２０ａは、作業表面１０２の中央の近位に位置設定され得る。脚部アセンブリ１０６は、高さ調整可能なデスクトップシステム１００の使用中作業表面１０２の安定性を維持するのに充分大きいものであり得る。
【００１７】
図７〜図８に描かれている通り、一実施例において、作業表面１０２は、２階構造の作業表面を提供するキーボードトレイとしての使用または他の用途のための２次上部表面１１８を画定する棚１１６を含むことができる。少なくとも１つの実施例において、２次上部表面１１８は、１次上部表面１０８よりも低い高さに位置設定され得る。この構成において、低い方の２次上部表面１１８は、ユーザーの手にとってより人間工学的な操作位置に周辺機器を位置付けするため１次上部表面１０８に対してより低い高さでの特定の周辺機器の使用を可能にすることができ、一方、比較的高い１次上部表面１０８は、ユーザーの頭部および眼にとってより人間工学的なビューイング位置にコンピュータモニターなどの他の周辺機器を位置付けする。例えば、２次上部表面１１８上で使用するための周辺機器としては、コンピュータモニター、キーボード、マウス、スピーカー、ブーンマイクロホンおよび一般的にコンピュータと共に使用される他の周辺機器が含まれ得るが、これらに限定されない。図７に描かれている通り、一実施例において、２次上部表面１１８は、低下位置１４４においてデスクトップ９９上の脚部アセンブリ１０６にもたれ得る。図８に描かれている通り、一実施例において、２次上部表面１１８はデスクトップ９９の前部１４０から前向きに延在でき、脚部アセンブリ１０６の表面またはデスクトップ９９の表面より低い位置であり得る低下位置１４４を含むことができる。この構成では、２次上部表面１１８は、１次上部表面１０８の近辺またはそれより低い高さのところに位置付けされ得る。図１８〜図２２および図３０に描かれている通り、少なくとも１つの実施例において、作業表面１０２は、作業表面１０２に対して棚１１６を解除可能にしっかりと固定するための少なくとも１つの取付けブラケット１１９を含むことができる。図５に描かれている通り、少なくとも１つの実施例において、
【００１８】
図５〜図６に描かれている通り、少なくとも１つの実施例において、作業表面１０２は、第１の軸に沿って作業表面１０２の下面１１０に配置された第１のグライド支持体１１２ａおよび第１の支持ブラケット１１４ａを含むことができる。この構成では、作業表面１０２は同様に、第１の軸に平行な第２の軸に沿って作業表面１０２の下面１１０に配置された第２のグライド支持体１１２ｂと第２の支持ブラケット１１４ｂとを含むことができる。この構成においては、第１の支持ブラケット１１４ａおよび第２の支持ブラケット１１４ｂは、協働して作業表面１０２を支持する。少なくとも１つの実施例において、作業表面１０２はさらに、第１および第２のグライド支持体１１２ａ、１１２ｂを接合するバックブラケット１１５を含み得る。
【００１９】
図５〜図６に描かれている通り、リンケージアセンブリ１０４は、第１の調整アセンブリ１２０ａおよび第２の調整アセンブリ１２０ｂを含むことができる。リンケージアセンブリ１０４が唯一の調整アセンブリを含むか追加の調整アセンブリを含むかに関わらず、以下の説明では、「第１の調整アセンブリ」の命名法および要素の付番がさまざまな実施例において使用され得る。作業表面１０２は、第１の軸に沿って作業表面１０２の下面１１０に配置された第１のグライド支持体１１２ａおよび第１の支持ブラケット１１４ａを含むことができる。各調整アセンブリ１２０ａ、１２０ｂは、第１の平行なリンケージ１２２、第２の平行なリンケージ１２４および横断方向リンケージ１２６を含むことができる。各調整アセンブリ１２０ａ、１２０ｂは同様に、グライド支持体１１２ａ、１１２ｂの一方の上を摺動するように構成されたグライダ１２８を含むこともできる。第１の調整アセンブリ１２０ａは、作業表面１０２の第１の縁部１４５ａの近位に位置設定され得る。第２の調整アセンブリ１２０ｂは、第１の縁部１４５ａとは反対側であり得る作業表面１０２の第２の縁部１４５ｂの近位に位置設定され得る。第１および第２の調整アセンブリ１２０ａ、１２０ｂは、上端部において、作業表面１０２の例えば下面１１０に対して動作可能に連結され得、下端部において脚部アセンブリ１０６に対して動作可能に連結され得る。脚部アセンブリ１０６は、図５に例示されている通り、各調整アセンブリ１２０ａ、１２０ｂ用に個別の脚部部分１３２を含むことができ、または一部の構成においては、脚部アセンブリ１０６は、図６に例示されている通り、第１の調整アセンブリ１２０ａから第２の調整アセンブリ１２０ｂにまたがるベース１４７として形成され得る。
【００２０】
第１の下部バー１３０ａは、脚部アセンブリ１０６の一部として形成され得る。第１の下部バー１３０ａは、脚部アセンブリ１０６から上向きに延在することができ、脚部アセンブリ１０６と別個にまたは一体として形成され得る。第１の下部バー１３０ａは、取付け構造、ブラケット、脚部ブラケット、または類似の構造であり得る。同様にして、第２の調整アセンブリ１２０ｂは、第２の下部バー１３０ｂを含むことができ、こうして、この第２の調整アセンブリ１２０ｂの第１および第２の平行なリンケージ１２２、１２４を脚部部分１３２に対して個別に組付けることができる。
【００２１】
図１に描かれている通り、第１および第２の平行なリンケージ１２２、１２４は、一方の端部において、第１および第２の平行なリンケージ１２２、１２４が第１の下部バー１３０ａの上で平行に回転するように、第１のヒンジ１４８および第２のヒンジ１４９において第１の下部バー１３０ａに対して回転可能に組付けられ得る。第１および第２の平行なリンケージ１２２、１２４は、反対側の端部において、第１および第２の平行なリンケージ１２２、１２４がグライダ１２８上で平行に回転するように、第３のヒンジ１５０および第４のヒンジ１５１においてグライダ１２８に対して回転可能に組付けられ得る。同様にして、横断方向リンケージ１２６は、一方の端部において、第６のヒンジ１５３により第２の平行なリンケージ１２４に対し回転可能に組付けられ得、第５のヒンジ１５２を介して対応する支持ブラケット１１４ａ、１１４ｂに対し回転可能に組付けられ得る。一実施例において、横断方向リンケージ１２６は、第２の平行なリンケージ１２４のほぼ中央点で第２の平行なリンケージ１２４に対し回転可能に組付けられ得る。一実施例において、横断方向リンケージ１２６は、第２の平行なリンケージ１２４の長さの約半分である。
【００２２】
図３０および図３３に描かれている通り、一実施例において、調整アセンブリ１２０ａ、１２０ｂの第１の平行なリンケージ１２２は、第１の横断材１２３により連結され得る。同様にして、調整アセンブリ１２０ａ、１２０ｂの第２の平行なリンケージ１２４は、第２の横断材１２５により連結され得る。
【００２３】
図４〜図６に描かれている通り、一実施例において、第１および第２の平行なリンケージ１２２、１２４、横断方向リンケージ１２６ならびにそれらの組合せは、第１および第２の平行なリンケージ１２２、１２４ならびに横断方向リンケージ１２６の回転平面に対して横断方向の軸に沿ってオフセットされ得る。この構成において、このオフセットは、リンケージ１２２、１２４および１２６の回転中におけるリンケージ１２２、１２４および１２６の接触または締め付けを防止する。図４に例示されているように、少なくとも１つの実施例において、第１の平行なリンケージ１２２は、第１の平面内で回転でき、第２の平行なリンケージ１２４は、第２の平面内で回転できる。第２の平面は第１の平面に平行でかつこの第１の平面からオフセットされ得る。第１および第２の平面をオフセットすることにより、作業表面１０８の使用中に脚部アセンブリ１４７に対する作業表面１０８のトルク印加を防止することができる。
【００２４】
図１〜図３は、高さ調整可能なデスクトップシステム１００およびリンケージアセンブリ１０４の側面図を例示している。図１は、上昇位置１４２を例示し、図２は、中間位置１４３を例示し、図３は、低下位置１４４を例示する。図１〜図３に描かれている通り、リンケージアセンブリ１０４は、高さ調整中プラットフォームを水平配向に保つため４バーリンケージ１０５を伴って構成され得る。
【００２５】
図１〜図３は、高さ調整可能なデスクトップシステム１００の動作を例示する。動作中、第１および第２の調整アセンブリ１２０ａ、１２０ｂのグライダ１２８は、各々、第１の位置１３８と第２の位置１３９との間で対応する第１および第２のグライド支持体１１２ａ、１１２ｂに沿って摺動でき、これに対応して作業表面１０２が上昇位置１４２と低下位置１４４との間で移動させられる。図２は、第１のグライド支持体１１２ａが第１の位置１３８と第２の位置１３９との間にあるときの、中間位置１４３にある作業表面１０２を例示している。第１の位置１３８において、各グライダ１２８は、対応する第１および第２のグライド支持体１１２ａ、１１２ｂに沿って対応する支持ブラケット１１４ａ、１１４ｂの近位に位置付けされ得、こうして作業表面１０２を上昇位置１４２まで上昇させることができるようになっている（図１参照）。上昇位置１４２において、第１、第２および横断方向のリンケージ１２２、１２４、１２６は、グライダ１２８が第１の位置１３８に位置付けされたときに伸展され得る。第２の位置１３９で、各グライダ１２８は、作業表面１０２を低下位置１４４に位置設定できるように、対応する第１および第２のグライド支持体１１２ａ、１１２ｂに沿って、対応する支持ブラケット１１４ａの遠位に位置設定され得る（図３参照）。作業表面１０２がリンケージアセンブリ１０４によって上昇位置１４２から低下位置１４４まで移動するにつれて、平行なリンケージ１２２および１２４は作業表面１０２の水平配向を維持することができ、横断方向リンケージ１２６は、作業表面１０２の垂直配向を維持することができる。第１の平行なリンケージ１２２、第２の平行なリンケージ１２４および横断方向リンケージ１２６は、グライダ１２８が第２の位置１３９に位置付けされたときに、脚部アセンブリ１０６に向かって折畳まれ得る。グライダ１２８が第２の位置に達したときに、作業表面１０２は低下位置１４４にあり得る。
【００２６】
高さ調整可能なデスクトップシステム１００は同様に、製図台などの角度のついた作業表面１０２を伴って構成され得る。リンケージアセンブリ１０４は、高さ調整中脚部アセンブリ１０６に対する作業表面１０２の角度を維持するように構成され得る。
【００２７】
高さ調整可能なデスクトップシステム１００は、図１〜図８に例示されているように、デスクトップ９９の上部に独立して立っている状態で使用可能である。しかしながら、一部の構成においては、作業表面１０２のベース１４７または脚部アセンブリ１０６は、図９〜図１１に例示されている通りデスクトップ９９にしっかり固定可能である。この固定は、留め金、グロメット、万力、かすがい、ドッグ、クリップ、または代替的タイプの締結具などの挟持用部材によって達成可能である。一部の構成においては、図９で例示する通り、ベース１４７の前方１４０内に１つ以上の挟持用部材１５４を位置設定することができる。他の構成においては、図１０に例示する通り、ベース１４７の後方１４１に１つ以上の挟持用部材１５４を位置設定することができる。挟持用部材１５４は、ベース１４７のいずれかの縁部上に、所望の任意の数で位置設定され得る。さらに他の構成においては、グロメットマウント１５５を用いて、図１１に例示する通り、デスクトップ９９にベース１４７を取付けることができる。グロメットマウント１５５は、高さ調整可能なデスクトップシステム１００を右または左に回転可能にし得る。グロメットマウント１５５を、ベース１４７の中心またはベース１４７の他の場所に位置設定することができる。グロメットマウント１５５は、ベース１４７の回転中心を形成できる。多数のグロメットマウント１５５を使用することも同様に可能である。全体が参照により本明細書に援用される第２０１２／０１８７０５６号として公開された特許出願第１３／１９１１７０号の一部として、さまざまな挟持用装置が開示されている。デスクトップ９９に高さ調整可能なデスクトップシステム１００のベース１４７を挟持することで、タイピングなどの使用中の作業表面１０２の安定性を改善することが可能である。
【００２８】
ユーザーにより加えられる力を軽減するため、高さ調整中の上昇補助のため、カウンターバランス機構を使用することができる。図１２〜図１４に描かれている通り、一実施例において、各調整アセンブリ１２０ａ、１２０ｂは、引張りバネ１５７などのカウンターバランス機構を含むことができる。引張りバネ１５７は、図１２に描かれている通り、グライダ１２８を対応する横断方向リンケージ１２６に対して動作可能に連結することができる。作業表面１０２が低下されグライダ１２８が対応する支持ブラケット１１４ａ、１１４ｂから離れるように移動するにつれて、引張りバネ１５７は、伸長して（図１４参照）、作業表面１０２を上昇位置１４２に向かって付勢し得る（図１２〜図１３参照）。特定の実施例において、作業表面１０２は、作業表面１０２の下面１１０に位置設定されたバネ保持用ブラケット１５８をさらに含むことができる。図１３〜図１４は、引張りバネ１５７が、図１２に描かれている横断方向リンケージ１２６よりもむしろバネ保持用ブラケット１５８に対して動作可能に連結され得ることを例示している。
【００２９】
図１５〜１６に描かれている通り、一実施例において、各調整アセンブリ１２０ａ、１２０ｂは、ねじりバネ１５９などのカウンターバランス機構を含むことができる。ねじりバネ１５９は、横断方向リンケージ１２６と作業表面１０２の下面１１０とを動作可能に係合する。作業表面１０２が低下され横断方向リンケージ１２６が折畳まれる（図１６参照）につれて、ねじりバネ１５９は張力をかけられ、上昇位置１４２に向かって作業表面１０２を付勢する（図１５参照）。
【００３０】
図５〜図６および図１８に描かれている通り、脚部アセンブリ１０６は、第１の脚部ブラケット１３０ａ、第２の脚部ブラケット１３０ｂおよび脚部部分１３２を含むことができる。脚部ブラケット１３０ａ、１３０ｂは、脚部部分１３２に固定され得る。この構成において、第１の調整アセンブリ１２０ａの第１および第２の平行なリンケージ１２２、１２４は、ヒンジ連結を通して脚部ブラケット１３０ａに対して回転可能に組付けされ得る。同様にして、第２の調整アセンブリ１２０ｂの第１および第２の平行なリンケージ１２２、１２４は、ヒンジ連結を通して脚部ブラケット１３０ｂに対し回転可能に組付けされ得る。一実施例において、脚部部分１３２は、図１〜図１６に描かれている通りデスクトップの上部表面と相互作用するための平担な要素を含んでいる。一実施例において、脚部部分１３２は、図１７に描かれているような壁または他の垂直な表面に脚部アセンブリ１０６をしっかり固定するための締結具を収容するための壁ブラケット１３４を含む。少なくとも１つの実施例においては、壁ブラケット１３４は、壁に取付けられた棚または他の取付け用ブラケットに取付けるように構成され得る。一実施例においては、脚部部分１３２は、図１８〜図２２および図３０〜図３３に描かれている通り脚部アセンブリ１０６を安定化させるための１対のアーム１３７を有するＵ字形要素１３６を含んでいる。少なくとも１つの実施例において、脚部アセンブリ１０６は、第１の調整アセンブリ１２０ａの第１および第２の平行なリンケージ１２２、１２４を個別に脚部部分１３２に組付けることができるように、複数の第１の脚部ブラケット１３０ａを含むことかできる。同様にして、第２の脚部アセンブリ１０６は、第２の調整アセンブリ１２０ｂの第１および第２の平行なリンケージ１２２、１２４を個別に脚部部分１０６に組付けることができるように、複数の第２の脚部ブラケット１３０ｂを含むことができる。
【００３１】
図６〜図８に描かれている通り、一実施例において、各調整アセンブリ１２０ａ、１２０ｂは、引張りバネ１５７などのカウンターバランス機構を含むことができる。引張りバネ１５７は、図６に描かれている通り、グライダ１２８を対応する横断方向リンケージ１２６に動作可能に連結する。作業表面１０２が低下させられグライダ１２８が対応する支持ブラケット１１４ａ、１１４ｂから離れるように移動するにつれて、引張りバネ１５７は伸長させられ、上昇位置に向かって作業表面１０２を付勢する。
【００３２】
図１８〜図２９で描かれている通り、一実施例において、各グライド支持体１１２ａ、１１２ｂは、グライドロッド１４６および支持フレーム１５７を含むことができる。グライドロッド１４６はさらに、グライドロッド１４６を回転させるために起動させることのできるレバー１５０を含み得る。支持フレーム１５７は、グライドロッド１４６を回転可能に収容するための一対の相対する穿孔１５２を画定する。この構成において、各グライダ１２８は同様に、第１のグライド孔１５４および第２のグライド孔１５６を含み、ここで、第１のグライド孔１５４は、グライダ１２８がグライドロッド１４６に沿って摺動できるように第２のグライド孔１５６と整列されている。
【００３３】
図２４〜図２６および図２７〜図２９に描かれている通り、一実施例において、グライドロッド１４６は複数の刻み目１６１を画定する。この構成において、グライダ１２８の第１のグライド孔１５４は、円形形状を含み、グライドロッド１４６の回転配向の如何に関わらず第１のグライド孔１５４を通してグライドロッド１４６が摺動できるようにするブッシング１６０を収容するように構成されている。第２のグライド孔１５６は、グライドロッド１４６に沿ったグライダ１２８の移動を防止するためグライドロッド１４６の刻み目１６１と係合するように位置付けされた平らな縁部１６２を含む。動作中、グライドロッド１４６は、刻み目１６１が第２のグライド孔１５６の平らな縁部１６２と整列されてグライダ１２８がグライドロッド１２８上で移動するのを防ぐことのできる第１の位置と、刻み目１６１が平らな縁部１６２と整列されずグライダ１２８がグライドロッド１４６に沿って移動できるようにする第２の位置と、の間でグライドロッド１４６を回転させるように適合されている。
【００３４】
図３０〜図３５に描かれている通り、一実施例において、各横断方向リンケージ１２６は、弧状に配置された複数の孔１６６を画定する扇形部分１６４を含むことができる。この構成において、各調整アセンブリ１２０ａ、１２０ｂは、図３１〜図３２および図３５に描かれている通り、横断方向リンケージ１２６の回転および作業表面１２０の上昇または低下を防ぐように横断方向リンケージ１２６内の孔１６６の１つと係合するために伸展可能な可動ピン１７０を有するプランジャ１６８を含むことができる。同様にして、図３１〜図３２および図３５に描かれている通り作業表面１２０の上昇または低下を可能にするため横断方向リンケージ１２６から係合解除するように、可動ピン１７０を引込めることもできる。
【００３５】
図３３〜図３５に描かれている通り、一実施例において、各調整アセンブリ１２０ａ、１２０ｂは、プランジャブラケット１７４、回転リンケージ１７６およびレバーブラケット１７８を含み得るロックレバーアセンブリ１７２を含むことができる。プランジャブラケット１７４は、一方の端部でプランジャピン１７０に対して動作可能に連結され得、回転リンケージ１７６の一方の端部に回転可能に連結されている。レバーブラケット１７８は、回転リンケージ１７６の他方の端部に回転可能に連結され得る。動作中、レバーブラケット１７８を引くと、回転リンケージ１７６は第１の方向に回転させられ、こうして、プランジャブラケット１７４を引き、ピン１７０を横断方向リンケージ１２６から後退させる。同様にして、レバーブラケット１７８を押すと、回転リンケージ１７６は第２の方向に回転させられ、こうしてプランジャブラケット１７４を押し、プランジャピン１７０を押して横断方向リンケージ１２６と係合させる。
【００３６】
図３３〜図３５に描かれている通り、一実施例において、ロックレバーアセンブリ１７２は、レバーブラケット１７８に対して回転可能に組付けられたレバー１８０を含むことができる。レバー１８０を引くかまたは押して、レバーブラケット１７８および対応してプランジャピン１７０を動作させることができる。一実施例において、レバー１８０はさらに、レバー１８０をレバーブラケット１７８に対し動作可能に連結するための延長されたロッド１８２を含むことができる。延長されたロッド１８２は、レバー１８０へのアクセスのため作業表面１０２に対して便利な位置にレバー１８０を位置付けするようにサイズ決定され得る。
【００３７】
図３６〜図４０で描かれている通り、一実施例において、高さ調整可能なデスクトップシステム１００はさらに、作業表面１０２を低下位置にロックできるロックレバーアセンブリ１８４を含むことができる。レバー１８０はさらに、ロック位置（図３８に示されている）と解除位置との間で回転可能なフックアーム１８６を含むことができる。脚部部分１３２は同様に、各フックアーム１８６に対応する少なくとも１つのロックハウジング１８８を含むことができる。各ロックハウジング１８８は、少なくとも１つのロック切込み１９０を画定することができる。動作中、作業表面１０２は、低下位置に位置付けされ得、レバー１８０は、フックアーム１８６をロック位置に位置付けするように回転され得、こうしてフックアーム１８６はロック切込み１９０と係合する。ロックハウジング１８８に対するフックアーム１８６の係合は、作業表面１０２を低下位置に維持する。レバー１８０は、フックアーム１８６を解除位置に位置付けするために回転され得、この位置でフックアーム１８６はフックアーム１８６から係合解除して、作業表面１０２を上昇位置へと持ち上げることができるようにする。
【００３８】
これらの非限定的実施例の各々は自立できるものであり、または、他の実施例のうちのいずれか１つ以上と任意に置換または組合せされ得るものである。
【００３９】
上述の詳細な説明は、詳細な説明の一部を成す添付図面に対する参照を包含し得る。図面は、例示として、本主題を実践し得る具体的実施形態を示している。これらの実施形態は、本明細書において、「実施例」とも呼ばれている。このような実施例は、図示されまたは記述されている要素に追加した要素を含み得る。しかしながら、本発明者らは同様に、図示または説明された要素のみが提供されている実施例も企図している。さらに、本発明者らは、同様に、特定の実施例（またはその１つ以上の態様）に関する、または本明細書で図示され説明されている他の実施例（またはその１つ以上の態様）に関する、図示または説明された要素（またはその１つ以上の態様）の任意の組合せまたは置換を用いた実施例をも企図している。
【００４０】
本明細書および参照により援用されているいずれかの文書の間に一貫性のない使用が発生した場合、本明細書における使用が支配する。
【００４１】
本明細書において、「１つ（ａ）」または「１つ（ａｎ）」なる用語は、特許文書において一般的であるように、「少なくとも１つ」または「１つ以上」という用語の使用または他の任意の事例とは無関係に、１つまたは２つ以上を含むものとして使用される。本明細書において、「または（ｏｒ）」なる用語は、別段の指示のないかぎり、「ＡまたはＢ」が「ＢではなくＡ」、「ＡではなくＢ」、および「ＡおよびＢ」を含むことができるように、または非排他的なものを意味するものとして使用されている。本明細書において、「含む（ｉｎｃｌｕｄｉｎｇ）」および「ここで（ｉｎ  ｗｈｉｃｈ）」なる用語は、それぞれ用語「備える（ｃｏｍｐｒｉｓｉｎｇ）」および「そこで（ｗｈｅｒｅｉｎ）」の平易な英語の均等物として使用される。同様に、以下の特許請求の範囲において、「含む（ｉｎｃｌｕｄｉｎｇ）」および「備える（ｃｏｍｐｒｉｓｉｎｇ）」なる用語は制約のないものであり、すなわち、特許請求の範囲中でこのような用語の後に列挙されているものに加えた要素を含み得るシステム、装置、物品、組成物、調合物またはプロセスは、なおもその特許請求の範囲の範囲内に入るものとみなされる。その上、以下の特許請求の範囲においては、「第１」、「第２」および「第３」などの用語は、単に標識として使用されているにすぎず、その目的語に対して数値的要件を課すように意図されていない。
【００４２】
以上の説明は、例示を目的としたものであって、限定を意図したものではない。例えば、上述の実施例（またはその１つ以上の態様）は、互いに組合せた形で使用され得る。例えば当業者であれば、上述の説明を精査した上で、他の実施形態を使用することができる。要約書は、読者が技術的開示の内容を迅速に究明できるようにするため、３７Ｃ．Ｆ．Ｒ  §１．７２（ｂ）に適合するように提供されている。要約書は、特許請求の範囲の範囲または意味を解釈または限定するのに要約書が使用されないことを理解した上で提出される。同様に、上述の「発明を実施するための形態」においては、開示を簡素化するために、さまざまな特徴がまとめられている場合がある。これは、請求されていない開示対象の特徴がいずれかの請求項に不可欠であることを意図するものとして解釈されるべきではない。むしろ、発明力ある主題は、特定の開示されている実施例の全ての特徴よりも少ないものの中に存在するかもしれない。したがって、以下の特許請求の範囲は、実施例または実施形態として「発明を実施するための形態」の中で本明細書に組み込まれており、ここで各請求項は別個の実施形態として自立しており、このような実施形態をさまざまな組合せまたは置換の形で互いに組合わせることができるということが企図されている。本主題の範囲は、添付の特許請求の範囲と併せて、このような特許請求の範囲が権利をもつ均等物の全範囲を参照して、決定されるべきである。
【図１】
2017511246.tif 000003
【図２】
2017511246.tif 000004
【図３】
2017511246.tif 000005
【図４】
2017511246.tif 000006
【図５】
2017511246.tif 000007
【図６】
2017511246.tif 000008
【図７】
2017511246.tif 000009
【図８】
2017511246.tif 000010
【図９】
2017511246.tif 000011
【図１０】
2017511246.tif 000012
【図１１】
2017511246.tif 000013
【図１２】
2017511246.tif 000014
【図１３】
2017511246.tif 000015
【図１４】
2017511246.tif 000016
【図１５】
2017511246.tif 000017
【図１６】
2017511246.tif 000018
【図１７】
2017511246.tif 000019
【図１８】
2017511246.tif 000020
【図１９】
2017511246.tif 000021
【図２０】
2017511246.tif 000022
【図２１】
2017511246.tif 000023
【図２２】
2017511246.tif 000024
【図２３】
2017511246.tif 000025
【図２４】
2017511246.tif 000026
【図２５】
2017511246.tif 000027
【図２６】
2017511246.tif 000028
【図２７】
2017511246.tif 000029
【図２８】
2017511246.tif 000030
【図２９】
2017511246.tif 000031
【図３０】
2017511246.tif 000032
【図３１】
2017511246.tif 000033
【図３２】
2017511246.tif 000034
【図３３】
2017511246.tif 000035
【図３４】
2017511246.tif 000036
【図３５】
2017511246.tif 000037
【図３６】
2017511246.tif 000038
【図３７】
2017511246.tif 000039
【図３８】
2017511246.tif 000040
【図３９】
2017511246.tif 000041
【図４０】
2017511246.tif 000042
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
高さ調整可能なデスクトップシステムであって、
下面を画定する作業表面と；
少なくとも２つのリンケージ部材を含むリンケージシステムであって、複数の高さ調整可能な位置を通して前記作業表面を支持するように構成された、リンケージシステムと；
少なくとも１つの調整アセンブリであって、
前記作業表面の前記下面に結合するように構成されている支持フレームと；
前記支持フレームにより支持されるように構成され、複数の刻み目を画定しているグライドロッドと；
相対するグライド孔を画定するグライドブラケットであって、前記グライドロッドが前記相対するグライド孔を通って延在するように構成され、当該グライドブラケットが前記少なくとも２つのリンケージ部材のうちの第１のものに結合するように構成された、グライドブラケットと；
を含む、少なくとも１つの調整アセンブリと；
を備え、
前記相対するグライド孔のうちの少なくとも１つが、前記グライドロッドに対するグライドブラケットの移動を防止して、前記複数の高さ調整可能な位置の１つに前記作業表面を位置付けするために、前記複数の刻み目のうちの少なくとも１つと係合するように構成されている、高さ調整可能なデスクトップシステム。
【請求項２】
前記相対するグライド孔のうちの少なくとも１つが、平らな縁部を画定し、前記平らな縁部が、前記複数の刻み目のうちの少なくとも１つと係合するように構成されている、請求項１に記載の高さ調整可能なデスクトップシステム。
【請求項３】
前記相対するグライド孔のうちの少なくとも１つが、ブッシングを収容しかつ前記グライドロッドが前記グライドロッドの任意の回転位置で前記ブッシングを通して摺動できるようにするように構成された円形開口部を画定する、請求項１または２に記載の高さ調整可能なデスクトップシステム。
【請求項４】
前記グライドロッドの一端部と係合しユーザーが前記グライドロッドを回転できるようにするように構成されたレバーを備える、請求項１〜３のいずれか一項に記載の高さ調整可能なデスクトップシステム。
【請求項５】
前記支持フレームが、前記グライドロッドを収容し支持するように構成された２つの相対する穿孔を画定している、請求項１〜４のいずれか一項に記載の高さ調整可能なデスクトップシステム。
【請求項６】
前記作業表面を上昇位置に向かって付勢するように構成された付勢用部材を含むカウンターバランス機構を備える、請求項１〜５のいずれか一項に記載の高さ調整可能なデスクトップシステム。
【請求項７】
前記付勢用部材が、前記グライドブラケットに結合するように構成された第１の端部と、前記作業表面の前記下面に結合するように構成された第２の端部と、を含む、請求項６に記載の高さ調整可能なデスクトップシステム。
【請求項８】
前記付勢用部材が引張りバネを含む、請求項６に記載の高さ調整可能なデスクトップシステム。
【請求項９】
前記カウンターバランス機構は、前記作業表面上にディスプレーが位置設定されているときに、前記作業表面を前記上昇位置に向けて付勢するように構成されている、請求項６に記載の高さ調整可能なデスクトップシステム。
【請求項１０】
前記支持フレームが第１の平担な面を含み、前記グライドブラケットが前記第１の平担な面と相対する第２の平担な面を含み、前記第２の平担な面は、前記グライドブラケットが移動するときに、前記第１の平担な面と摺動可能に係合するように構成されている、請求項１〜９のいずれか一項に記載の高さ調整可能なデスクトップシステム。
【請求項１１】
前記作業表面の前記下面に結合するように構成された棚をさらに備え、前記棚が前記作業表面より低い位置にある上部表面を画定している、請求項１〜９のいずれか一項に記載の高さ調整可能なデスクトップシステム。
【請求項１２】
前記少なくとも２つのリンケージ部材が、
前記グライドブラケットに対して回転可能に結合された第１の連結端部から第１の脚部端部まで延在する第１のリンケージと；
前記グライドブラケットに対して回転可能に結合された第２の連結端部から第２の脚部端部まで延在する第２のリンケージと；
前記下面に対して回転可能に結合されかつ前記第１のリンケージに対して回転可能に結合された横断方向リンケージと；
を含む、請求項１〜１１のいずれか一項に記載の高さ調整可能なデスクトップシステム。
【請求項１３】
前記調整アセンブリが、ねじりバネを含み、
前記ねじりバネが、前記作業表面を上昇位置に向かって付勢するために、前記作業表面が低下させられるにつれて、前記作業表面の前記下面と、前記横断方向リンケージと、の間で張力をかけられる、請求項１２に記載の高さ調整可能なデスクトップシステム。
【国際調査報告】
2017511246.tif 000043